(57)【要約】【課題】  目標重量に近い合計重量を持ち、同時に各物品の重量がほぼ揃っている組合せを効率的に選択する。【解決手段】  Ｎ台の計量器２−１乃至２−Ｎから制御装置１８に供給された物品の計量値を、ＣＰＵ２０が種々に組み合わせて、目標重量と許容上限重量との間に合計重量が存在する全ての組合せを選択する。ＣＰＵ２０は、作成された組合せごとに、当該組合せを構成する各計量値が、どの程度揃っているかを表す揃い度を演算し、演算された各組合せごとの揃い度が高い各組合せを選択する。【選択図】        図１
2008268061.tif 000002
【特許請求の範囲】
【請求項１】
供給された物品の重量を表す計量信号をそれぞれが発生する複数の計量手段と、
予め定めた目標重量信号に等しいか近い合計値を持つ前記計量信号の組合せを、複数作成する組合せ作成手段と、
これら作成された組合せごとに、当該組合せを構成する前記各計量信号が、どの程度揃っているかを表す揃い度を演算する揃い度演算手段と、
演算された前記各揃い度を基に、前記作成された各組合せの中から、いずれの組合せを第１の組合せとして選択するか判定する判定手段とを、
具備する組合せ秤。
【請求項２】
請求項１記載の組合せ秤において、前記判定手段は、前記揃い度が高い組合せを第１の組合せとして選択する組合せ秤。
【請求項３】
請求項１または２記載の組合せ秤において、前記判定手段は、前記揃い度を基に選択した組合せを構成する前記計量信号以外の計量信号で構成された組合せが、前記作成された各組合せ中に存在するか判定し、存在するとき、その組合せを第２の組合せとして選択する組合せ秤。
【請求項４】
請求項３記載の組合せ秤において、第１の組合せを構成する計量信号に対応する物品を表す第１の表示手段と、第２の組合せを構成する計量信号に対応する物品を表す第２の表示手段とを、備える組合せ秤。
【請求項５】
請求項３記載の組合せ秤において、第１の組合せとして選択された組合せの個数と、第２の組合せとして選択された組合せの個数とを、表示する第３の表示手段を、備える組合せ秤。
【発明の詳細な説明】
【技術分野】
【０００１】
本発明は、組合せ秤に関し、特に、選択された組合せを構成する物品の重量を揃えるものに関する。
【背景技術】
【０００２】
上述したような組合せを構成する物品の重量を揃える組合せ秤としては、例えば特許文献１に開示されているようなものがある。この技術では、複数の計量部で物品を計量して得た計量信号を予め定められた個数ずつ組み合わせて複数の組が作成される。これら各組の中から、組を構成している各計量信号が互いに接近しているものを判別する。これによって、予め定めた個数の物品からなり、各物品の重量が接近している組合せを選択することができる。
【０００３】
【特許文献１】特許第２７６１９３３号公報
【発明の開示】
【発明が解決しようとする課題】
【０００４】
販売者が複数の物品を組み合わせた商品を販売する場合、それら組み合わされた物品の合計量量が、その商品に表示されている公称重量を下回ることは許されない。一方、購買者は、上記の商品の合計重量が公称重量であることと同時に、その商品の物品それぞれの重量が揃っていれば、その商品に高い価値を感じる。販売者も、この要求を満たせば、より高い値段で組み合わせた商品を販売することができる。
【０００５】
特許文献１の技術では、上述したように、予め定めた個数の物品からなり、各物品の重量が接近している物品の組合せを得ることができるが、合計重量を公称重量とするような制御は行われていない。特許文献１の技術によって、合計重量を公称重量とするようにするためには、計量部で計量する各物品の重量を、公称重量を予め定めた個数で除算した値に非常に近い値に制限しなければならない。このような制限は、効率的には行えない。
【０００６】
本発明は、目標重量に近い合計重量を持ち、同時に各物品の重量がほぼ揃っている組合せを効率的に選択することができる組合せ秤を提供することを目的とする。
【課題を解決するための手段】
【０００７】
本発明の一態様の組合せ秤は、複数の計量手段を有している。各計量手段は、それに供給された物品の重量を表す計量信号を発生する。なお、物品を計量した後、そのまま物品を計量手段上に載置しておくこともできるし、別の物品収容手段に個別に収容しておくこともできる。組合せ作成手段が、予め定めた目標重量に等しいか近い合計値を持つ前記計量信号の組合せを、複数作成する。これら作成された組合せごとに、当該組合せを構成する各計量信号が、どの程度揃っているかを表す揃い度を揃い度演算手段が演算する。揃い度としては種々のものを使用することができ、例えば組合せごとに、その組合せを構成している各計量信号の最大値と最小値とを検索し、その最大値と最小値との差を揃い度とすることができるし、組合せを構成している各計量信号の平均値に対する各計量信号の偏差を揃い度とすることもできるし、この偏差の二乗値を揃い度として使用することもできる。演算された前記各揃い度を基に、前記作成された各組合せの中から、いずれの組合せを第１の組合せとして選択するか判定手段が判定する。
【０００８】
このように構成された組合せ秤では、予め定めた目標重量に等しいか近い合計重量を持つ各組合せの中から、揃い度を基に１つの組合せを選択しているので、目標重量に近い合計重量を持ち、しかも各物品の重量がほぼ揃っている組合せを、容易に選択することができる。
【０００９】
判定手段は、前記揃い度が高い組合せを第１の組合せとして選択することができる。これによって、合計重量が予め定めた目標重量に近いことよりも、揃い度が高いことを優先した組合せを得ることができ、より商品価値の高い組合せ商品を得ることができる。
【００１０】
前記判定手段は、前記揃い度を基に選択した組合せを構成する前記計量信号以外の計量信号で構成された組合せが、前記作成された各組合せ中に存在するか判定し、存在するとき、その組合せを第２の組合せとして選択することができる。このように構成すると、第１の組合せの他に、揃い度は余り高くないかもしれないが、合計重量が目標重量に近い組合せである第２の組合せも得ることができるので、生産効率を高めることができる。
【００１１】
第１の組合せを構成する計量信号に対応する物品を表す第１の表示手段と、第２の組合せを構成する計量信号に対応する物品を表す第２の表示手段とを、設けることができる。このように構成すると、例えば計量手段に物品を載せ降ろしするように組合せ秤を構成している場合、第１の表示手段によって表された物品を、それが載っている計量手段から降ろすことによって、合計重量が目標重量に近く、揃い度が高い物品の組合せを速やかに作成することができ、かつ第２の表示手段によって表された物品をそれが載っている計量手段から降ろすことによって、合計重量が目標重量に近い物品の組合せも、速やかに作成することができる。
【００１２】
第１の組合せとして選択された組合せの個数と、第２の組合せとして選択された組合せの個数とを、表示する第３の表示手段を、備えることもできる。第１及び第２の組合せは、それぞれ複数得られることがある。このような場合、第１及び第２の組合せの得られた個数を表示することによって、第１及び第２の組合せとして、何回物品を収集すればよいかを知ることができる。
【発明の効果】
【００１３】
以上のように、本発明によれば、目標重量に近い合計重量の組合せであって、その組合せを構成する各物品の重量がほぼ揃っているものを、効率的に選択することができる。
【発明を実施するための最良の形態】
【００１４】
本発明の１実施形態の組合せ秤は、手動式の組合せ秤である。手動式の組合せ秤は、物品を計量器の計量台上に載せる操作と、計量台上に載置された物品のうち組合せ選択されたものを、計量台から除去する操作とを、手動で行うものである。この実施形態で使用される物品は、定形の物、例えば農産品や水産品である。
【００１５】
図１に示すように、この組合せ秤は、複数台、例えばＮ台の計量器２−１乃至２−Ｎを備えている。これら計量器２−１乃至２−Ｎは、全て同一の構成であるので、計量器２−１の構成のみ説明する。計量器２−１は、計量手段、例えばロードセル４を有している。このロードセル４には、図示していない計量台が結合され、これに載せられた物品の重量を表すアナログ計量信号をロードセル４が発生する。このアナログ計量信号は、増幅器６によって増幅され、Ａ／Ｄ変換変換器８によってデジタル計量信号に変換され、入出力インターフェース１０を介して計量器用制御手段、例えばＣＰＵ１２に供給される。ＣＰＵ１２は、記憶手段、例えばＲＯＭ、ＲＡＭ、ＥＥＰＲＯＭ等からなるメモリ１４に記憶されているプログラムに従って、メモリ１４をワークエリアとして使用して、デジタル計量信号を処理して、物品の計量値を算出し、この計量値をシリアルデータの通信ライン１６を介して制御装置１８に伝送する。
【００１６】
制御装置１８では、各計量器２−１乃至２−Nから伝送されてきた各計量値を基に、特別商品の組合せと通常商品の組合せとを選択する。特別商品の組合せとは、合計重量が予め定めた目標重量とこれより大きく設定した許容上限重量との間に位置し、かつ組合せを構成する物品の重量がほぼ揃っている組合せを言う。通常商品の組合せとは、組合せを構成する物品の重量は揃っていないが、合計重量が予め定めた目標重量とこれより大きく設定した許容上限重量との間に位置するものである。制御装置１８は、特別商品の組合せ、通常商品の組合せを構成する物品が載置されている計量器に、特別商品の組合せまたは通常商品の組合せの構成品が載置されている旨を通信ライン１６を介して通知する。
【００１７】
このような制御を行うために、制御装置１８は、制御手段、例えばＣＰＵ２０を有している。ＣＰＵ２０は、記憶手段、例えばＲＯＭ、ＲＡＭ、ＥＥＰＲＯＭ等からなるメモリ２２に記憶されたプログラムに従って、メモリ２２をワークエリアとして使用して動作する。ＣＰＵ２０は、入出力インターフェース２４を介して各計量装置２−１乃至２−Ｎから計量値を受ける。また、上記の選択に使用するために設定された目標重量や許容上限重量等のデータが設定部２６で設定され、設定部２６から入出力インターフェース２４を介してＣＰＵ２０に供給される。また、設定されたデータは、入出力インターフェース２４を介して表示部２８に表示される。更に、ＣＰＵ２０による処理の結果、選択された特別商品の組合せの個数と通常商品の組合せの個数も、表示部２８に表示される。即ち、表示部２８は、第３の表示手段としても機能する。
【００１８】
各計量器２−１乃至２−Ｎの入出力インターフェース１０には、第１の表示手段、例えばランプ３０−１乃至３０−Ｎと、第２の表示手段、例えばランプ３２−１乃至３２−Ｎとがそれぞれ接続されている。ランプ３０−１乃至３０−Ｎは、それらが設けられている計量器で計量している物品が特別商品の組合せに含まれていると制御装置１８から指示されると、点灯する。ランプ３２−１乃至３２−Ｎは、それが設けられている計量器で計量している物品が通常商品の組合せに含まれていると制御装置１８から指示されているとき、点灯する。ランプ３０−１乃至３０−Ｎと３２−１乃至３２−Ｎとは、発光色が異なり、特別商品の組合せの物品であるか通常商品の組合せの物品であるかが、容易に区別できるようにされている。
【００１９】
制御装置１８が行う処理を概説する。制御装置１８は、各計量器２−１乃至２−Ｎからの計量値を種々に組合せ、これら各組合せの中から、合計重量が目標重量と許容上限重量との間に存在する組合せを全て選ぶ。この処理が組合せ作成手段に相当する。選ばれた組合せごとに、揃い度が求められる。例えば、組合せを構成している各計量値の最大値と最小値を求め、その偏差を求める。この偏差を求めることが揃い度演算手段に相当する。各組合せの偏差が予め定めた許容値以下である組合せを揃い度判定条件を満足する特別商品の組合せとして選択する。即ち、目標重量に等しいか最も近い合計重量を持つことよりも揃い度が高い組合せが優先して、選択されている。
【００２０】
但し、複数の組合せが特別商品組合せの候補となる場合、その組合せを構成している計量値が、組合せ間で重複していない複数の組合せを特別商品の組合せとする。この選択が判定手段に相当する。これによって、目標重量以上であって、許容上限重量以下の合計重量を持ち、かつ各計量値が揃っている組合せが特別商品の組合せとして選択される。上述した計量値の組合せから特別商品組合せの選択までの処理が、組合せ選択演算に該当する。この特別商品の組合せとして選択された組合せの個数（組数）が、表示部２８に表示され、何組の特別商品の組合せが得られたかが判る。
【００２１】
また、目標重量と許容上限重量との間に合計重量が存在する組合せのうち、特別商品として選択された計量値を含まない組合せを、通常商品の組合せとして選択する。通常商品の組合せの候補となる組合せが複数存在する場合、例えばこれら候補のうち合計重量が目標重量に等しいか最も近いものと、２番目に近いものとを通常商品として選択する。これは、通常商品の組合せとしては、合計重量がなるべく目標重量に近いことが望ましいからである。通常商品として選択された組合せの個数も、表示部２８に表示される。
【００２２】
このようにして特別商品として選択された組合せを構成する計量値を発生している各計量器をそれぞれ表す複数の計量器番号と、通常商品として選択された組合せを構成する計量値を発生している各計量器をそれぞれ表す複数の計量器番号とが、各計量器２−１乃至２−Ｎに伝送される。
【００２３】
まず、ランプ３０−１乃至３０−Ｎのうち、特別商品の組合せに該当する計量器のランプが点灯され、その計量器から物品を取り出すことが促される。もし、特別商品の組合せが複数ある場合、１つめの特別商品の組合せの物品の取り出しが終了すると、表示部２８の特別商品の組合せの個数の表示が１つ小さい値となり、ランプ３０−１乃至３０−Ｎは全て一旦消灯し、ランプ３０−１乃至３０−Ｎのうち、次の特別商品の組合せに該当する計量器のランプが点灯し、その計量器から物品を取り出すことが促される。以下、同様にして、全ての特別商品の組合せが計量器３０−１乃至３０−Ｎから取り出される。このとき、表示部２８の特別商品の組合せ個数の表示は零となる。この表示によって、あとどれだけ特別商品の組合せが存在するか判明する。
【００２４】
次に、ランプ３２−１乃至３２−Ｎのうち、通常商品の組合せに該当する計量器のランプが点灯し、その計量器から物品を取り出すことが促される。もし、通常商品の組合せが２組ある場合、１組目の通常商品の組合せの物品の取り出しが終了すると、表示部２８の特別商品の組合せの個数の表示が１つ小さい１となり、ランプ３２−１乃至３２−Ｎは全て一旦消灯し、ランプ３２−１乃至３２−Ｎのうち、次の通常商品の組合せに該当する計量器のランプが点灯し、その計量器から物品を取り出すことが促される。このとき、表示部２８の特別商品の組合せ個数の表示は、零となる。この表示によっても、後どれだけ通常商品の組合せが存在するか判明する。
【００２５】
各計量器２−１乃至２−Ｎでは、計量台上に物品が載置されたことを検出するために零点よりもやや大きいが、物品の重量よりも充分に小さい境界重量信号が予め設定されている。デジタル計量信号が境界重量信号を超えたと判断すると、デジタル計量信号が安定しているか判定する。この判定では、時系列に生成される各デジタル計量信号のうち連続して生成される所定個数のデジタル計量信号を比較する。それらデジタル計量信号の間の差が全て予め定めた安定判別信号よりも小さいとき安定と判定する。安定と判定されたときの所定個数のデジタル計量信号の平均値を計量値として、この計量値と、いずれの計量器の計量値であるかを表す計量器番号とを対にして制御装置１８に伝送する。なお、安定条件が崩れたとＣＰＵ１２が判定すると、計量値を零として制御装置１８に伝送する。
【００２６】
制御装置１８のＣＰＵ２０には、図２に示すように受信レジスタ３４が設けられている。これは、各計量器２−１乃至２−Ｎにそれぞれ対応する記憶領域を有し、一定時間の経過ごとに、各計量器から伝送された計量器番号を参照して対応する領域に、計量器番号と対の計量値が記憶される。また、受信レジスタ３４と同一構成のメモリレジスタ３６も設けられている。ＣＰＵ２０は、一定周期ごとに受信レジスタ３４の各計量器の計量値がメモリレジスタ３６の対応する領域の計量値と一致するか比較する。不一致であると、ＣＰＵ２０は、不一致である受信レジスタ３４の計量器の計量値をメモリレジスタ３６の対応する領域に記憶させる。メモリレジスタ３６の各計量値の内容が、１つでも前回にチェックしたときと異なっていれば、組合せ選択演算の起動条件が満たされたと判断する。但し、計量値が零に変化したものは起動条件が満たされたとは判断しない。起動条件が満たされたことにより、上述した組合せ選択演算が開始可能となる。
【００２７】
特別商品の組合せが上述したようにして選ばれると、図３に示すように、その組合せを構成している計量器番号が、メモリ２２内の特別商品の組合せ選択レジスタ３８の各記憶領域に、組ごとに全て記憶される。特別商品の組合せの数（組数）は、ＣＰＵ２０によって構成されたカウンタＣｚに記憶され、表示部２８に表示される。また、カウンタＣｚの値によって指定された特別商品の組合せレジスタ３８の記憶領域に記憶されている特別商品の組合せを構成している計量器の番号が、図４に示す特別商品組合せ指示レジスタ４２に記憶され、このレジスタ４２の値に従って、ランプ３０−１乃至３０−Ｎのいずれかが点灯する。
【００２８】
通常商品の組合せを構成している計量器番号が、メモリ２２内の通常商品の組合せ選択レジスタ４０の記憶領域に、組ごとに記憶される。通常商品の組合せの数（組数）も、ＣＰＵ２０によって構成されたカウンタＣｕに記憶され、表示部２８に表示される。また、カウンタＣｕの値によって指定された通常商品の組合せ選択レジスタ４０の記憶領域に記憶されている通常商品の組合せを構成している計量器の番号が、図４に示す通常商品組合せ指示レジスタ４４に記憶され、このレジスタ４４の値に従って、ランプ３２−１乃至３２−Ｎのいずれかが点灯する。
【００２９】
以下、図５乃至図８を参照して、制御装置１８のＣＰＵ２０が行う処理を説明する。この処理では、特別商品の組合せが得られたときに１にセットされるフラグＦ１と、通常商品の組合せが得られたときに１にセットされるフラグＦ２とが使用され、これらフラグＦ１、Ｆ２は初期設定では０にセットされている。
【００３０】
ＣＰＵ２０が行う処理は、所定周期ごとに繰り返される。この処理では、図５に示すように、まず、各計量器２−１乃至２−Ｎからの計量値のデータを受信レジスタ３４に読み込む（ステップＳ２）。次に、フラグＦ１が１であるか判定する（ステップＳ４）。この判定の結果がノーであると、即ち特別商品の組合せが無いと判定されると、フラグＦ２が１であるか判定する（ステップＳ６）。この判定の結果がノーであると、即ち通常商品の組合せも無いと判断されると、上述したように組合せ演算の起動条件が成立しているか判定する（ステップＳ８）。この判定の結果がノーであると、この処理を終了する。そして、所定時間の経過後に再びステップＳ２から実行される。ステップＳ８の判定の結果がイエスであると、上述したように組合せ選択演算が実行される（ステップＳ１０）。
【００３１】
組合せ選択演算の結果、特別商品の組合せが得られたか判定する（ステップＳ１２）。この判定の結果がイエスであると、フラグＦ１を１にセットし（ステップＳ１４）、特別商品の組合せの総数をカウンタＣｚにセットする（ステップＳ１６）。
【００３２】
ステップＳ１２の判断の答えがノーの場合、またはステップＳ１６に続いて通常商品の組合せが得られたか判定する（ステップＳ１８）。この判断の答えがノーの場合、この処理を終了する。所定時間の経過後に、再びステップＳ２から実行される。ステップＳ１８の判断の答えがイエスの場合、フラグＦ２を１にセットし（ステップＳ２０）、通常商品の組合せの個数をカウンタＣｕにセットする（ステップＳ２２）。そして、カウンタＣｚ、Ｃｕの内容を表示部２８に表示し（ステップＳ２４）、この処理を終了し、所定時間の経過後にステップＳ２から実行する。
【００３３】
ステップＳ４の判断の答えがイエスの場合、即ち、特別商品の組合せが存在する場合、図６に示すように、カウンタＣｚの内容により組合せ選択レジスタ３８の記憶領域の内容の１つを選択する（ステップＳ２６）。選択された組合せ選択レジスタ３８の記憶領域の内容が、特別商品組合せ指示レジスタ４２に記憶される（ステップＳ２８）。この特別商品組合せ指示レジスタ４２に記憶されている各計量器番号の計量器に対してランプ信号出力の指示が与えられる（ステップＳ３０）。これによって、ランプ３０−１乃至３０−Ｎのうち、特別商品の組合せを構成する物品が載置されている計量器に設けられているものが、点灯する。
【００３４】
次に、特別商品の組合せとして選択された計量器から全ての物品が排出されたか判断する（ステップＳ３２）。この判断の答えがノーであると、ステップＳ２４を実行し、その後、所定時間の経過後にステップＳ２から実行する。ステップＳ３２の判断の答えがイエスであると、カウンタＣｚの値を１つ減らし（ステップＳ３４）、カウンタＣｚの値が零であるか、即ち、全ての特別商品の組合せを構成する計量器から物品が除去されたか判断する（ステップＳ３６）。この判断の答えがノーであると、ステップＳ２４を実行し、所定時間の経過後にステップＳ２から実行する。
【００３５】
ステップＳ３６の判断の答えがイエスの場合、フラグＦ１を０にセットし（ステップＳ３８）、特別商品組合せ指示レジスタ４２をリセットし（ステップＳ４０）、特別商品組合せ指示レジスタ４２の内容によって計量器へのランプ信号出力の指示が与えられる（ステップＳ４２）。その結果、ランプ３０−１乃至３０−Ｎのうち点灯していたものが消灯する。そしてステップＳ２４が実行され、所定時間の経過後にステップＳ２から実行される。
【００３６】
ステップＳ６の判断の答えがイエスの場合、即ち通常商品の組合せが存在する場合、図７に示すように、カウンタＣuの内容により組合せ選択レジスタ４０の記憶領域の内容の１つを選択し（ステップＳ４４）、選択された組合せ選択レジスタ４０の記憶領域の内容が、通常商品組合せ指示レジスタ４４に記憶される（ステップＳ４６）。この通常商品組合せ指示レジスタ４４に記憶されている各計量器番号に対応する計量器に対して、ランプ信号出力の指示が与えられる（ステップＳ４８）。これによって、ランプ３２−１乃至３２−Ｎのうち、通常商品の組合せを構成している物品を計量している計量器に設けられているものが点灯する。
【００３７】
次に、通常商品の組合せとして選択された計量器から全ての物品が排出されたか判断する（ステップＳ５０）。この判断の答えがノーであると、ステップＳ２４を実行し、所定時間の経過後にステップＳ２から再び実行する。ステップＳ５２の判断の答えがイエスであると、カウンタＣuの値を１つ減らし（ステップＳ５２）、カウンタＣuの値が零であるか、即ち全ての特別商品の組合せを構成する計量器から物品が除去されたか判断する（ステップＳ５４）。この判断の答えがノーであると、ステップＳ２４を実行すし、所定時間の経過後に再びステップＳ２から実行する。
【００３８】
ステップＳ５４の判断の答えがイエスの場合、フラグＦ２を０にセットし（ステップＳ５６）、通常商品組合せ指示レジスタ４４がリセットされ（ステップＳ５８）、リセットされている通常商品組合せ指示レジスタ４４の内容によって計量器へのランプ信号出力の指示が与えられる（ステップＳ６０）。その結果ランプ３０−１乃至３０−Ｎのうち点灯していたものが消灯する。そしてステップＳ２４が実行され、所定時間の経過後にステップＳ２から再び実行される。
【００３９】
上記の実施形態では、揃い度として、組合せを構成している各計量値の最大値と最小値との偏差を使用したが、これに限ったものではなく、例えば組合せを構成している各計量値の平均値と、その組合せの各計量値との偏差を求め、この偏差を揃い度とすることもできる。この場合、全ての偏差が予め定めた許容偏差範囲内にあるものを特別商品の組合せとして選択する。また、上記の偏差の二乗値を揃い度とすることもできる。この場合も、全ての二乗値が零以上許容上限値以下であるものを特別商品の組合せとして選択する。或いは偏差の二乗値の合計値を揃い度とすることもできる。この場合、偏差の二乗値の合計値が零以上許容上限値以下であるものを特別商品の組合せとする。
【００４０】
上記の実施形態では、物品の組合せの効率を向上させるために、通常商品の組合せも選択したが、場合によっては通常商品の組合せの選択を行わないことも可能である。
【００４１】
上記の実施形態では、各計量器から物品を乗せ降ろしするタイプの手動式のものに本発明を実施したが、この他に、各計量器で物品を計量し、その物品を物品収容部に移し、空になった計量器で再び計量し、物品収容部の物品と計量器上の物品とを対象として組合せを選択することもできる。この場合、対象となる物品が増加するので、特別商品の組合せや通常商品の組合せが得られる確率が向上する。
【００４２】
上記の各実施形態では、手動式の組合せ秤に本発明を実施したが、これに限ったものではなく、例えば計量器への物品の供給も排出も自動的に行う自動式の組合せ秤や、計量器で計量された物品をメモリホッパに移し、計量器に新たな物品を供給して計量し、メモリホッパと計量器とに収容されている物品を対象として上述した組合せ選択演算を行う自動式の組合せ秤や、計量器への物品の供給は手動で行うが、物品の排出は自動的に行う半自動式の組合せ秤にも、本発明を実施することができる。
【図面の簡単な説明】
【００４３】
【図１】本発明の１実施形態の組合せ秤のブロック図である。
【図２】図１の組合せ秤において使用する受信レジスタとメモリレジスタの構成を示す図である。
【図３】図１の組合せ秤において使用する特別商品の組合せレジスタと通常商品の組合せレジスタの構成を示す図である。
【図４】図１の組合せ秤において使用する特別商品組合せ指示レジスタと通常商品組合せ指示レジスタの構成を示す図である。
【図５】図１の組合せ秤における特別商品及び通常商品の組合せを得る過程のフローチャートである。
【図６】図１の組合せ秤における特別商品を指示する過程のフローチャートである。
【図７】図１の組合せ秤における通常商品を指示する過程のフローチャートである。
【符号の説明】
【００４４】
２−１乃至２−Ｎ  計量器（計量手段）
１８  制御装置
２０  ＣＰＵ（組合せ作成手段、判定手段）
２８  表示部（第３の表示手段）
３０−１乃至３０−Ｎ  ランプ（第１の表示手段）
３２−１乃至３２−Ｎ  ランプ（第２の表示手段）
【図１】
2008268061.tif 000003
【図２】
2008268061.tif 000004
【図３】
2008268061.tif 000005
【図４】
2008268061.tif 000006
【図５】
2008268061.tif 000007
【図６】
2008268061.tif 000008
【図７】
2008268061.tif 000009